(57)【要約】【課題】  一層向上したタンパーエビデント性を持たせた上蓋を有するヒンジキャップを提供する。【解決手段】  キャップ本体とキャップ本体にヒンジ連結されて開閉可能となっている上蓋とからなり、上蓋スカート部には、ヒンジ連結部分とは反対側の部分に開封用鍔が設けられており、キャップ本体の筒状側壁の外面には、閉じられた上蓋の開封用鍔の先端外周部分を覆う帯状カバーが破断可能な弱化線乃至スコアを介して連結されているヒンジキャップにおいて、帯状カバーの内面には、閉じられた上蓋の開封用鍔の外周縁部の上面と係合する係止突起が設けられており、開封用鍔の下面は、スカート部の下端面よりも下方に位置しており、上蓋が閉じられた状態において、開封用鍔の下面は、帯状カバーとは非接触の状態に保持されていることを特徴とする。【選択図】  図１。
2005212813.tif 000002
【特許請求の範囲】
【請求項１】
頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の頂板部もしくは筒状側壁にヒンジ連結され、前記キャップ本体に対して開閉可能となっている上蓋；
からなり、前記上蓋を閉じたとき、キャップ本体の頂板部上面の外周縁部と上蓋のスカート部の下端面とが対面するように構成されていると共に、前記スカート部のヒンジ連結部分とは反対側の部分には開封用鍔が設けられており、前記キャップ本体の頂板部上面には、上蓋を閉じたときに上蓋のスカート部内面部分と係合し得る周状突起を有しており、且つ該キャップ本体の筒状側壁の外面には、閉じられた上蓋の開封用鍔の先端外周部分を覆う帯状カバーが破断可能な弱化線乃至スコアを介して連結されているヒンジキャップにおいて、
前記帯状カバーの内面には、閉じられた上蓋の開封用鍔の外周縁部の上面と係合する係止突起が設けられており、
前記開封用鍔の下面は、頂板部の上面よりも下方に位置しており、上蓋が閉じられた状態において、開封用鍔の該下面は、前記帯状カバーとは非接触の状態に保持されていることを特徴とするヒンジキャップ。
【請求項２】
前記帯状カバー内面の係止突起は、その最突出部が、キャップ本体の頂板部上面の外周縁部と略同位置乃至該外周縁部よりも下方に位置している請求項１に記載のヒンジキャップ。
【発明の詳細な説明】
【技術分野】
【０００１】
本発明は、上蓋にタンパーエビデント性（ＴＥ性）を持たせたヒンジキャップに関する。
【背景技術】
【０００２】
容器口部に装着されるキャップ本体に上蓋がヒンジ連結されたヒンジキャップは、例えば各種飲料が充填された容器のキャップとして、種々の用途に使用されている。また、各種容器のキャップには、一般に、いたずら防止や容器内容物の品質保証などのために、開封履歴機能、即ち、ＴＥ性が要求される。一般のユーザーにとって、キャップが開封されていないという事実を認識できれば、容器内に異物を混入するなどのいたずらによる被害を回避することができるばかりか、容器内容物に関して、一定の品質が保証されるからである。
【０００３】
特許文献１には、上記のようなヒンジキャップについて、上蓋にＴＥ性を持たせたものが提案されている（特許文献１参照）。
【０００４】
上記特許文献１のヒンジキャップは、キャップ本体の筒状側壁の外面の上端部分に帯片を設け、且つ上蓋のスカート部下端に設けられている開封用鍔の下面に突片を設け、上蓋を閉じたときに開封用鍔の下面の突片が帯片と筒状側壁外面との間の空間に嵌め込まれて固定されるというものである。即ち、上蓋を開封するためには、帯片を破壊しなければならず、帯片の破壊によって上蓋の開封を認識できるようになっている。
【０００５】
しかしながら、上記特許文献１のヒンジキャップでは、上蓋の開封用鍔が外部に露出しているため、この開封用鍔を指で引っ掛けて上方に引っ張り上げると、該鍔の下面の突片が帯片と筒状側壁外面との間の空間からすっぽ抜けてしまうことがある。このような突片のすっぽ抜けを生じた場合には、再び上蓋を閉じて突片を帯片と筒状側壁外面との間の空間に嵌め込んでしまうと、キャップの外観からは上蓋が一旦開封された事実を認識することが困難となってしまう。
【０００６】
一方、本出願人は、特許文献２により、ＴＥ性をさらに高めたヒンジキャップを提案した。このヒンジキャップでは、上蓋が閉じられた状態において、開封用鍔の外周面を覆うような帯状カバー部材を設けたものであり、この帯状カバー部材は、破断可能な弱化線乃至スコアを介してキャップ本体の筒状側壁外面に連結されている。即ち、帯状カバー部材をキャップ本体の筒状側壁外面から引き剥がさない限り、閉じられた上蓋を開封することができず、開封用鍔の外周面が帯状部材によって覆われているため、この鍔を指等で引っ張り上げることができず、特許文献１のヒンジキャップに比して、ＴＥ性が高められている。
【特許文献１】実公平２−２１４０６号公報（第１図、第５図、第６図）
【特許文献２】特願２００２−３４６４５６号（図１）
【発明の開示】
【発明が解決しようとする課題】
【０００７】
しかしながら、特許文献２のヒンジキャップにおいても、そのＴＥ性は未だ満足し得るものではない。即ち、特許文献２のヒンジキャップでは、帯状カバー部材を下側から押し上げると、閉じられた上蓋の開封用鍔が押し上げられてしまい、該帯状カバー部材から開封用鍔が飛び出してしまうことがあり、帯状カバー部材を引き剥がすことなく、上蓋を開封できてしまうことがあった。また、帯状カバー部材を正面から内側に押し付けると、上蓋のスカート部下端部分が変形してしまい、この変形によっても、帯状カバー部材を引き剥がすことなく、上蓋を開封できてしまうことがあった。
【０００８】
従って、本発明の目的は、一層向上したタンパーエビデント性を持たせた上蓋を有するヒンジキャップを提供することにある。
【課題を解決するための手段】
【０００９】
本発明によれば、頂板部と、頂板部周縁から降下した筒状側壁とを有し、該筒状側壁の内側に容器口部が嵌合固定されるキャップ本体；及び、
天板部と、天板部周縁から降下したスカート部とを有し、該スカート部の下端部が前記キャップ本体の頂板部もしくは筒状側壁にヒンジ連結され、前記キャップ本体に対して開閉可能となっている上蓋；
からなり、前記上蓋を閉じたとき、キャップ本体の頂板部上面の外周縁部と上蓋のスカート部の下端面とが対面するように構成されていると共に、前記スカート部のヒンジ連結部分とは反対側の部分には開封用鍔が設けられており、前記キャップ本体の頂板部上面には、上蓋を閉じたときに上蓋のスカート部内面部分と係合し得る周状突起を有しており、且つ該キャップ本体の筒状側壁の外面には、閉じられた上蓋の開封用鍔の先端外周部分を覆う帯状カバーが破断可能な弱化線乃至スコアを介して連結されているヒンジキャップにおいて、
前記帯状カバーの内面には、閉じられた上蓋の開封用鍔の外周縁部の上面と係合する係止突起が設けられており、
前記開封用鍔の下面は、頂板部の上面よりも下方に位置しており、上蓋が閉じられた状態において、開封用鍔の該下面は、前記帯状カバーとは非接触の状態に保持されていることを特徴とするヒンジキャップが提供される。
【００１０】
本発明においては、前記帯状カバー内面の係止突起は、その最突出部が、キャップ本体の頂板部上面の外周縁部と略同位置乃至該外周縁部よりも下方に位置していることが好ましい。
【発明の効果】
【００１１】
本発明のヒンジキャップにおいては、上蓋を閉じた状態において、上蓋の開封用鍔の下面が帯状カバーとは非接触となっているため、帯状カバーを押し上げたとしても、開封用鍔が押し上げられず、この開封用鍔の帯状カバーからの飛び出しが有効に防止されている。
【００１２】
また、開封用鍔の下面は、頂板部の上面よりも下方に位置しているため、帯状カバーを正面から内側に押し付けた場合、開封用鍔の内面が、筒状側壁外面に接触し、上蓋のスカート部下端部分の変形が有効に抑制され、このような変形による開封用鍔の帯状カバーからの飛び出しも有効に防止されている。特に、帯状カバー内面の係止突起の最突出部を、キャップ本体の頂板部上面の外周縁部と略同位置乃至該外周縁部よりも下方に位置させたときには、帯状カバーを正面から内側に押し付けたときの押圧力が開封用鍔の内面を介して筒状側壁外面に伝わり、上蓋のスカート部の下端部に集中することが有効に抑制されるため、上蓋の変形を一層有効に防止することができる。
【００１３】
このように、本発明のヒンジキャップでは、開封用鍔の帯状カバーからの飛び出しが有効に防止されているため、上蓋のＴＥ性はさらに向上している。
【発明を実施するための最良の形態】
【００１４】
本発明を、以下、添付図面に示す具体例に基づいて説明する。
図１は、本発明のヒンジキャップの上蓋を閉じた状態での側面断面図であり、
図２は、図１のキャップにおける上蓋を開栓した状態での上面図であり、
図３は、図１のキャップの正面図であり、
図４は、図１のキャップの側面図であり、
図５は、図１のヒンジキャップにおいて、帯状カバー部材及びヒンジ連結部が形成されていない部分での側面断面を示す図であり、
図６は、図１のヒンジキャップにおいて、帯状カバー部材及びヒンジ連結部が形成されていない部分での側面断面の他の例を示す図であり、
図７は、図１のヒンジキャップにおける上蓋を開栓した状態での上面図の他の例を示す図である。
【００１５】
図１乃至図４（特に図１及び図２）を参照して、本発明のヒンジキャップは、キャップ本体１と上蓋２とから成り、キャップ本体１は、大まかに言って、頂板部５と、頂板部５の周縁部から垂下している筒状側壁６とから構成されている。
【００１６】
頂板部５の内面には、筒状側壁６とは間隔を置いて下方に延びているインナーリング９が形成されている。即ち、このインナーリング９と筒状側壁６との間の空間に容器口部が嵌め込まれることにより、キャップ本体１は、容器口部に装着される。
【００１７】
また、頂板部５には、注出用開口を形成するためのスコア１０が形成されており、頂板部５の上面側には、スコア破断用のプルリング１２が支柱１１を介して設けられている。即ち、このプルリング１２を引っ張ることにより、スコア１０が破断し、内容物を注ぎ出すための開口が頂板部５に形成されるようになっている。
【００１８】
さらに、頂板部５の上面側には、スコア１０を取り囲むようにして、注出液案内用の筒状突起１４が形成されており、注出用開口を介して注ぎ出された内容液は、この筒状突起１４によって案内される。この筒状突起１４の上端は、ラッパ状に広がって液の排出をスムーズに行い得るようになっており、また、図１に示されているように、後述するヒンジ連結部２５側において、筒状突起１４の背が低く形成され、上蓋２を閉じるときに上蓋２の旋回を妨害しないように構成されている。また、筒状突起１４の外側には、上蓋２を保持するための周状突起１６が形成されている。
【００１９】
また、キャップ本体１の筒状側壁６の一部は、上端から下方に延びている弧状スリット２０により、内側側壁６ａと外側側壁６ｂとに分断されており、内側側壁６ａと外側側壁６ｂとが下端で連なった二重壁構造が形成されている。このような二重壁構造は、容器内容液注出後のキャップ本体１を容器口部から容易に取り外せるように形成されているものである。
【００２０】
上蓋２は、キャップ本体１の筒状側壁６（特にスリット２０によって形成されている外側壁６ｂ）の上端部分にヒンジ連結されている。このヒンジ連結部は２５で示され、図２から理解されるように、中央の幅広のバンド部２５ａと、その両側の小幅のバンド部２５ｂ、２５ｂから形成されている。
【００２１】
さらに、上記ヒンジ連結部２５の近傍には、外側壁６ｂに、その上端から下端乃至その近傍まで延びている軸方向スコア３０，３０が形成され（図２、図４参照）、内側壁６ａには、軸方向スコア３０，３０に対応するように、下端から上方に延びている内側スコア（図示せず）が形成されている。即ち、上蓋２を開栓した状態で下方に引き降ろすことにより、上記スコア３０，３０が引き裂かれ、外側壁６ｂが破断し、次に上方に引き上げることにより、内側壁６ａのスコアが破断するため、キャップ本体１を、格別の工具を用いることなく、容器口部から取り外すことが可能となる。
【００２２】
上蓋２は、天板部３２と、天板部３２の周縁から延びているスカート部３４とから形成されている。
【００２３】
天板部３２の内面には、シール用の周状突起３６が形成されている。即ち、上蓋２を旋回して閉じたとき、シール用の周状突起３６が注出液案内用の筒状突起１４の内面に密着し、この密着により、スコア１０を破断しての注出用開口形成後のシール性が確保される。
【００２４】
また、上蓋２のスカート部３４の内面下方部分には、凹部３９が形成されており、前述した周状突起１６の上端の突部１６ａが、この凹部３９と係合することにより、閉じられた上蓋２が安定に保持されるようになっている。
【００２５】
さらに、上蓋２のスカート部３４の外面には、前述したヒンジ連結部２５とは反対側部分に、開封用鍔４０が設けられている。この開封用鍔４０の下面４０ａには、滑り止め用の偏平状突部４２が形成されている。この開封用鍔４０を指で引っ掛けて上蓋２を上方に持ち上げることにより上蓋２の開封を容易に行うことができる。
【００２６】
また、キャップ本体１の筒状側壁６の外面には、上蓋２を閉じたときに上記の開封用鍔４０が位置する部分に、滑らかな凹面４５が形成されており、開封用鍔４０の指での引っ掛けを容易に行うことができるようになっているとともに、この凹面４５を取り囲むようにして帯状カバー４７が、弱化線乃至スコア４８を介して筒状側壁６の外面に接続されている。
【００２７】
上記の帯状カバー４７は、図１から明らかなように、その上方部分の内面に係止突起５０が設けられており、この係止突起５０が、閉じられた上蓋２の開封用鍔４０の先端外周縁部の上面と係合するようになっている。即ち、閉じられた上蓋２の開封用鍔４０は、その下面４０ａが帯状カバー４７によって完全に外部と遮断されており、且つその先端外周縁部も帯状カバー４７の内面に設けられている係止突起５０により覆われているため、この帯状カバー４７を、上記弱化線乃至スコア４８を破断して筒状側壁６から引き剥がした後でなければ、上蓋２の開封を行うことができないようになっており、このような帯状カバー４７によって、上蓋２にタンパーエビデント性が付与された構造となっている。
【００２８】
尚、帯状カバー４７の上端には、突片５１を設けておくことが好ましい（特に図３参照）。即ち、この突片５１を指で摘んで引き降ろすことにより、弱化線乃至スコア４８の破断を容易に行い、帯状カバー４７の引き剥がしを容易に行うことが可能となるからである。
【００２９】
上述したヒンジキャップにおいて、本発明では、開封用鍔４０の下面４０ａが頂板部５の上面よりも下方に位置し、且つ上蓋２が閉じられた状態において、開封用用鍔４０の下面４０ａが、帯状カバー４７とは非接触の状態に保持されていることが重要である（図１参照）。
【００３０】
即ち、開封用用鍔４０の下面４０ａが、帯状カバー４７とは非接触の状態に保持されているため、帯状カバー４７を下側から押し上げても、開封用鍔４０は押し上げられず、このような押し上げによって開封用鍔４０が帯状カバー４７から飛び出すという不都合が有効に防止される。また、開封用鍔４０の下面４０ａは、頂板部５の上面よりも下方に位置しているため、帯状カバー４７を正面から内側に押し付けた場合、開封用鍔４０の内面が、筒状側壁６の外面に接触し、特にスカート部３４の下端部分の変形が有効に抑制され、このような変形による開封用鍔４０の帯状カバー４７からの飛び出しも有効に防止される。
【００３１】
また、本発明においては、帯状カバー４７の内面に設けられている係止突起５０の最突出部５０ａを、キャップ本体１の頂板部５の上面の外周縁部５ａと略同位置或いは外周縁部５ａよりも下方に位置させることが望ましい。即ち、係止突起５０の最突出部５０ａの位置を、上記のように下方となるように設定しておくことにより、帯状カバー４７を正面から内側に押し付けたとき（図１において、矢印Ａで示す方向に押圧したとき）、その押圧力が開封用鍔４０の内面を介して筒状側壁６の外面に伝わり、上蓋２のスカート部３４の下端部に集中することが有効に抑制されるため、このような押圧による上蓋２の変形を一層有効に防止することができる。
【００３２】
また、本発明においては、図５に示すように、帯状カバー４７及びヒンジ連結部２５が形成されている領域を除き、キャップ本体１の頂板部５の外周縁に薄肉の突片５２を設けることが好ましい。即ち、上蓋２を閉じた状態において、上蓋２のスカート部３４の下端面３４ａと頂板部５の上面周縁部とが対面する部分は、この突片５２によって外部から完全に遮断され、この結果、上蓋２とキャップ本体１との間にドライバー等の工具を差し込んで、無理やり上蓋２を開封するという行為を確実に防止することができ、ＴＥ性をさらに向上させることができる。
【００３３】
さらに、上記のような突片５２をキャップ本体１側に設ける代わりに、図６に示すように、上蓋２のスカート部３４の下端面３４ａの外周縁にやはり薄肉の突片５４を設けることによっても、ＴＥ性を向上させることができる。即ち、この場合においても、上蓋２を閉じた状態において、上蓋２のスカート部３４の下端面３４ａから無理やり上蓋２を開封しようとすると、スカート部３４の下端面３４ａの外周縁に設けた薄肉の突片５４が捲れて、開封したことの痕跡となり、無理やり上蓋２を開封するという行為を確実に防止することができる。
【００３４】
さらに、上記の例では、開封用鍔４０が板状形状を有しているが（図１参照）、このような板状形状とする代わりに、図７に示すように、開封用鍔４０を、上下方向の肉厚を厚くして、その上面を径方向内方から外方に向かうにしたがって、下方に傾斜した形状とし、その上面外方端が帯状カバーの上端の位置か或いはその上方に位置するように構成することもできる。このような形状にすることにより、開封用鍔４０上面と帯状カバー４７とで形成された凹部内に埃等が溜まることを防止することができる。
【００３５】
また、図７の例に示すように、上蓋２の天板部３２の内面に、シール用の周状突起３６とともに、スコア１０の破断防止用の弧状突起３８とを形成することもできる。即ち、上蓋２を旋回して閉じたとき、偶発的に上部から外力が作用した場合、弧状突起３８が頂板部５の上面に当接し、これによって、周状突起３６が頂板部５やプルリング１２の支柱１１を押圧してスコア１０を破断するという不都合を有効に防止することができる。
【００３６】
上述した本発明によれば、帯状カバーを上方に押し上げたり、或いは正面から内方に押し付けたりすることにより、開封用鍔が帯状カバーから飛び出してしまうという不都合を有効に防止することができ、ＴＥ性が一層向上している。
【図面の簡単な説明】
【００３７】
【図１】本発明のヒンジキャップの上蓋を閉じた状態での側面断面図。
【図２】図１のキャップにおける上蓋を開栓した状態での上面図。
【図３】図１のキャップの正面図。
【図４】図１のキャップの側面図。
【図５】図１のヒンジキャップにおいて、帯状カバー部材及びヒンジ連結部が形成されていない部分での側面断面を示す図。
【図６】図１のヒンジキャップにおいて、帯状カバー部材及びヒンジ連結部が形成されていない部分での側面断面の他の例を示す図。
【図７】図１のヒンジキャップにおける上蓋を開栓した状態での上面図の他の例を示す図である。
【符号の説明】
【００３８】
１：キャップ本体
２：上蓋
５：頂板部
３４：スカート部
４０：開封用鍔
４７：帯状カバー
【図１】
2005212813.tif 000003
【図２】
2005212813.tif 000004
【図３】
2005212813.tif 000005
【図４】
2005212813.tif 000006
【図５】
2005212813.tif 000007
【図６】
2005212813.tif 000008
【図７】
2005212813.tif 000009